(57)【要約】【課題】所望の論理ページが割り付けられる記録媒体、または、所望の記録媒体についての出力イメージを容易に確認することが可能な画像出力装置及び画像表示方法を提供すること。【解決手段】入力手段（８１）と、表示手段（８２）と、入力手段からの所望の論理ページの指定情報または所望の記録媒体の指定を受け、指定された論理ページと同じ記録媒体に割り付けられる論理ページ、または、指定された記録媒体に割り付けられる論理ページを求め、求めた論理ページの画像データの記録媒体への出力イメージを表示手段に表示する表示制御手段（１０４）を備えることを特徴とする。【選択図】図４
2007316797.tif 000002
【特許請求の範囲】
【請求項１】
２つ以上の論理ページで構成される画像データと各前記論理ページの記録媒体への割り付けを示す割付情報とを関連付けて記憶し、前記割付情報に基づいて前記画像データの各論理ページの画像データを複数の記録媒体に割り付けて画像出力する画像出力装置であって、
入力手段と、
表示手段と、
前記入力手段からの前記２つ以上の論理ページの中の所望の論理ページを示す論理ページ指定情報の入力を受け、前記割付情報に基づいて、前記論理ページ指定情報が示す論理ページと同じ記録媒体に割り付けられる他の論理ページを求める演算手段と、
前記論理ページ指定情報が示す論理ページ及び前記他の論理ページの画像データの記録媒体への出力イメージを前記表示手段に表示させる表示制御手段と、を備えることを特徴とする画像出力装置。
【請求項２】
前記表示制御手段は、前記論理ページ指定情報が示す論理ページを前記他の論理ページとは識別可能に前記表示手段に表示する請求項１に記載の画像出力装置。
【請求項３】
前記入力手段からの前記表示された出力イメージについての画像出力指示を受け、前記出力イメージとして表示された論理ページの画像データを前記割付情報に基づいて記録媒体に割り付けて画像出力する画像出力手段を備える請求項１または請求項２に記載の画像出力装置。
【請求項４】
前記割付情報に対応する記録媒体に割り付けられる論理ページのページ数を示すテーブルを更に備え、
前記演算手段は、前記テーブルを参照して前記割付情報に対応する論理ページのページ数を求め、前記論理ページのページ数と前記論理ページ指定情報とから前記他の論理ページを求める請求項１乃至請求項３のいずれかに記載の画像出力装置。
【請求項５】
前記演算手段は、前記求めた論理ページのページ数と前記論理ページ指定情報とから、前記論理ページ指定情報が示す論理ページが割り付けられる記録媒体に割り付けられる少なくとも先頭及び末尾の論理ページを求めることによって前記他の論理ページを求める請求項４に記載の画像出力装置。
【請求項６】
前記演算手段は、前記割付情報に基づいて各論理ページと前記各論理ページが割り付けられる記録媒体との対応関係を求め、前記対応関係を用いて前記論理ページ指定情報が示す論理ページと同じ記録媒体に割り付けられる他の論理ページを求める請求項１乃至請求項３のいずれかに記載の画像出力装置。
【請求項７】
前記演算手段は、前記対応関係を用いて前記論理ページ指定情報が示す論理ページが割り付けられる記録媒体を求め、求めた記録媒体に割り付けられる論理ページを求めることにより前記他の論理ページを求める請求項６に記載の画像出力装置。
【請求項８】
前記表示制御手段は、前記出力イメージとして、論理ページ指定情報が示す論理ページと前記他の論理ページとのサムネイルを表示させる請求項１乃至請求項７のいずれかに記載の画像出力装置。
【請求項９】
２つ以上の論理ページで構成される画像データと各前記論理ページの記録媒体への割り付けを示す割付情報とを関連付けて記憶し、前記割付情報に基づいて前記画像データの各論理ページの画像データを複数の記録媒体に割り付けて画像出力する画像出力装置であって、
入力手段と、
表示手段と、
前記入力手段から前記複数の記録媒体の中の所望の記録媒体の指定を示す記録媒体指定情報の入力を受け、前記割付情報に基づいて、前記記録媒体指定情報が示す記録媒体に割り付けられる論理ページを求める演算手段と、
前記求められた論理ページの画像データの記録媒体への出力イメージを前記表示手段に表示させる表示制御手段と、を備えることを特徴とする画像出力装置。
【請求項１０】
前記入力手段からの前記表示された出力イメージについての画像出力指示を受け、前記出力イメージとして表示された論理ページの画像データを前記割付情報に基づいて記録媒体に割り付けて画像出力する画像出力手段を備える請求項９に記載の画像出力装置。
【請求項１１】
前記割付情報に対応する各記録媒体に割り付けられる論理ページのページ数を示すテーブルを更に備え、
前記演算手段は、前記テーブルを参照して前記割付情報に対応する前記論理ページのページ数を求め、前記論理ページのページ数と前記記録媒体指定情報が示す記録媒体とから前記記録媒体指定情報が示す記録媒体に割り付けられる論理ページを求める請求項９または請求項１０に記載の画像出力装置。
【請求項１２】
前記演算手段は、前記求めた論理ページのページ数と前記記録媒体指定情報が示す記録媒体とから、前記記録媒体指定情報が示す記録媒体に割り付けられる少なくとも先頭及び末尾の論理ページを求めることによって前記記録媒体指定情報が示す記録媒体に割り付けられる論理ページを求める請求項１１に記載の画像出力装置。
【請求項１３】
前記演算手段は、前記割付情報に基づいて各論理ページと前記各論理ページが割り付けられる記録媒体との対応関係を求め、前記対応関係を用いて前記記録媒体指定情報が示す記録媒体に割り付けられる論理ページを求める請求項９または請求項１０に記載の画像出力装置。
【請求項１４】
前記表示制御手段は、前記出力イメージとして、前記求められた論理ページのサムネイルを表示させる請求項９乃至請求項１３のいずれかに記載の画像出力装置。
【請求項１５】
２つ以上の論理ページで構成される画像データと各前記論理ページの記録媒体への割り付けを示す割付情報とを関連付けて記憶し、前記割付情報に基づいて前記画像データの各論理ページの画像データを複数の記録媒体に割り付けて画像出力する画像出力装置であって、
入力手段と、
表示手段と、
前記入力手段から、前記２つ以上の論理ページの中の所望の論理ページを示す論理ページ指定情報、または、前記複数の記録媒体の中の所望の記録媒体の指定を示す記録媒体指定情報の入力を受け、前記論理ページ指定情報の入力を受けた場合には、前記割付情報に基づいて、前記論理ページ指定情報が示す論理ページと同じ記録媒体に割り付けられる他の論理ページを求め、前記記録媒体指定情報の入力を受けた場合には、前記割付情報に基づいて、前記記録媒体指定情報が示す記録媒体に割り付けられる論理ページを求める演算手段と、
前記論理ページ指定情報の入力を受けた場合には、前記論理ページ指定情報が示す論理ページ及び前記他の論理ページの画像データの記録媒体への出力イメージを前記表示手段に表示させ、前記記録媒体指定情報の入力を受けた場合には、前記求められた前記記録媒体指定情報が示す記録媒体に割り付けられる論理ページの画像データの記録媒体への出力イメージを前記表示手段に表示させる表示制御手段と、を備えることを特徴とする画像出力装置。
【請求項１６】
２つ以上の論理ページで構成される画像データと各前記論理ページの記録媒体への割り付けを示す割付情報とを関連付けて記憶し、前記割付情報に基づいて前記画像データの各論理ページの画像データを複数の記録媒体に割り付けて画像出力する画像出力装置における画像表示方法であって、
前記２つ以上の論理ページの中の所望の論理ページを示す論理ページ指定情報の入力を受ける段階と、
前記割付情報に基づいて、前記論理ページ指定情報が示す論理ページと同じ記録媒体に割り付けられる他の論理ページを求める段階と、
前記論理ページ指定情報が示す論理ページ及び前記他の論理ページの画像データの記録媒体への出力イメージを表示する段階とを含むことを特徴とする画像表示方法。
【請求項１７】
２つ以上の論理ページで構成される画像データと各前記論理ページの記録媒体への割り付けを示す割付情報とを関連付けて記憶し、前記割付情報に基づいて前記画像データの各論理ページの画像データを複数の記録媒体に割り付けて画像出力する画像出力装置における画像表示方法であって、
前記複数の記録媒体の中の所望の記録媒体の指定を示す記録媒体指定情報の入力を受ける段階と、
前記割付情報に基づいて、前記記録媒体指定情報が示す記録媒体に割り付けられる論理ページを求める段階と、
前記求められた論理ページの画像データの記録媒体への出力イメージを表示する段階とを含むことを特徴とする画像表示方法。
【発明の詳細な説明】
【技術分野】
【０００１】
本発明は、２つ以上の論理ページで構成される画像データと各前記論理ページの印刷用紙等の記録媒体への割り付けを示す割付情報とを関連付けて記憶し、前記割付情報に基づいて前記画像データの各論理ページを画像出力する画像出力装置及び画像出力方法に関する。
【背景技術】
【０００２】
従来、画像出力装置として、例えば原稿をＣＣＤ等の撮像素子を含む読み取り手段により読み取り画像データとして取得し、その画像データを記憶手段に記憶し、記憶手段に記憶された画像データを読み出して印刷用紙に画像の出力を行うデジタル方式の画像出力装置が製品化されている。このようなデジタル方式の画像出力装置においては、記憶手段に画像データを記憶できることから記憶手段を活用した各種の機能が提案されている。なお、画像データは、上述のような読み取り手段により得られたもの、または、外部機器から受信したデジタル化されたデータなどである。
【０００３】
その機能の一つとして、例えば論理ページ付けされた画像データと印刷用紙への割り付けを示す割付情報を含む設定データとを記憶手段に記憶し、ジョブとして登録できるようになっているものがある。そして、このジョブを実行することにより、記憶手段に記憶された画像データと設定デ−タに基づいて画像出力を行う。例えば割付情報に基づいてジョブの各論理ページの画像データを印刷用紙に割り付けて画像出力を行う。ここで、論理ページとは、ジョブが含む画像データの各ページであり、論理ページ順とは、ジョブが含む画像データの順序をいう。また、画像出力する際の各論理ページが割り付けられる印刷用紙の各ページを割付ページとし、割付ページ順とは、その画像データが割り付けられた場合の出力ページ順をいうことにする。
【０００４】
また、ジョブを実行して画像出力する前に、論理ページの画像データが割り付けられて画像出力される出力イメージを画面上に表示するプレビュー機能が知られている。例えば、ジョブのプレビュー表示を行い、プレビュー表示と整合性があるように製本印刷の場合には総ページ数、またはその他の場合には印刷用紙枚数を表示する装置がある（例えば、特許文献１参照。）。特許文献１に記載の装置によれば、ジョブにおける全ての出力イメージをプレビュー表示することによってそれぞれの出力イメージの確認を行うことができ、さらに総ページ数または印刷用紙枚数の表示から総ページ数或いは印刷用紙枚数を事前に確認することができる。
【０００５】
一方、近年の画像出力装置（例えばレーザプリンタなど）の高画質化され、さらには安価にかつ高速に高品位のカラー画像が出力可能となってきたことを反映して、小ロット印刷等における最終印刷物の作成用途にも使用されるようになり、時には数万部数の印刷などにも用いられる。
【０００６】
このような画像出力装置による印刷においては、例えばある画像の位置ズレや画像に汚れ等が発生した場合に、修正を行いその画像が出力される印刷用紙のみを必要部数印刷し、そして、差し替えが行われる。その際、無駄な出力を避けるために出力対象の出力イメージを事前に確認することが行われる。
【０００７】
【特許文献１】特開２００１−１３４５６０号公報
【発明の開示】
【発明が解決しようとする課題】
【０００８】
しかしながら、上述したようなジョブの全ての出力イメージのプレビュー表示を用いて出力対象の出力イメージを確認する場合、ジョブの論理ページの数によっては対象となる出力イメージを探し出すことが困難な場合がある。
【０００９】
また、割り付けには、片面、両面、インターシート、章分け、差込ページ、オーバーレイ、２ｉｎ１、小冊子、リピートまたは無線綴じ、または、それらの組み合わせなど様々なものがある。例えば小冊子は、各印刷用紙の表面及び裏面の左右にそれぞれ画像データを割り付けて画像を出力し、印刷用紙を重ねて中央で折って綴じると左または右側から論理ページ順に画像が並ぶ小冊子となるようにするものである。つまり、各印刷用紙には論理ページが入れ替えられて画像出力される。また、インターシート挿入または章分けでは、インターシート挿入部分や章分け部分で、画像が連続せず白紙部分が存在するようになされる。つまり、画像のないページが途中に挿入されて画像出力される。このように、割り付けによっては、論理ページ順に画像出力されない、つまり論理ページにおける画像データの順序と割り付けられた画像データの順序とが異なる場合がある。したがって、ジョブの割付情報によっては、ジョブの各論理ページがどの印刷用紙のどこに割り付けられるか容易に判断することが難しく、さらに対象となる出力イメージを探し出すことが困難となる。特に、小冊子の場合は、論理ページの順序が入れ替えられて割り付けられるために困難となる。
【００１０】
本発明は、上記事情に鑑みてなされたものであり、その目的とするところは、所望の論理ページが割り付けられる記録媒体、または、所望の記録媒体についての出力イメージを容易に確認することが可能な画像出力装置及び画像表示方法を提供することにある。
【課題を解決するための手段】
【００１１】
上記課題を解決するために請求項１に記載の発明は、２つ以上の論理ページで構成される画像データと各前記論理ページの記録媒体への割り付けを示す割付情報とを関連付けて記憶し、前記割付情報に基づいて前記画像データの各論理ページの画像データを複数の記録媒体に割り付けて画像出力する画像出力装置であって、入力手段と、表示手段と、前記入力手段からの前記２つ以上の論理ページの中の所望の論理ページを示す論理ページ指定情報の入力を受け、前記割付情報に基づいて、前記論理ページ指定情報が示す論理ページと同じ記録媒体に割り付けられる他の論理ページを求める演算手段と、前記論理ページ指定情報が示す論理ページ及び前記他の論理ページの画像データの記録媒体への出力イメージを前記表示手段に表示させる表示制御手段と、を備えることを特徴としている。
【００１２】
また、請求項２に記載の発明は、前記表示制御手段は、前記論理ページ指定情報が示す論理ページを前記他の論理ページとは識別可能に前記表示手段に表示することを特徴としている。
【００１３】
また、請求項３に記載の発明は、前記入力手段からの前記表示された出力イメージについての画像出力指示を受け、前記出力イメージとして表示された論理ページの画像データを前記割付情報に基づいて記録媒体に割り付けて画像出力する画像出力手段を備えることを特徴としている。
【００１４】
また、請求項４に記載の発明は、前記割付情報に対応する記録媒体に割り付けられる論理ページのページ数を示すテーブルを更に備え、前記演算手段は、前記テーブルを参照して前記割付情報に対応する論理ページのページ数を求め、前記論理ページのページ数と前記論理ページ指定情報とから前記他の論理ページを求めることを特徴としている。
【００１５】
また、請求項５に記載の発明は、前記演算手段は、前記求めた論理ページのページ数と前記論理ページ指定情報とから、前記論理ページ指定情報が示す論理ページが割り付けられる記録媒体に割り付けられる少なくとも先頭及び末尾の論理ページを求めることによって前記他の論理ページを求めることを特徴としている。
【００１６】
また、請求項６に記載の発明は、前記演算手段は、前記割付情報に基づいて各論理ページと前記各論理ページが割り付けられる記録媒体との対応関係を求め、前記対応関係を用いて前記論理ページ指定情報が示す論理ページと同じ記録媒体に割り付けられる他の論理ページを求めることを特徴としている。
【００１７】
また、請求項７に記載の発明は、前記演算手段は、前記対応関係を用いて前記論理ページ指定情報が示す論理ページが割り付けられる記録媒体を求め、求めた記録媒体に割り付けられる論理ページを求めることにより前記他の論理ページを求めることを特徴としている。
【００１８】
また、請求項８に記載の発明は、前記表示制御手段は、前記出力イメージとして、論理ページ指定情報が示す論理ページと前記他の論理ページとのサムネイルを表示させることを特徴としている。
【００１９】
また、請求項９に記載の発明は、２つ以上の論理ページで構成される画像データと各前記論理ページの記録媒体への割り付けを示す割付情報とを関連付けて記憶し、前記割付情報に基づいて前記画像データの各論理ページの画像データを複数の記録媒体に割り付けて画像出力する画像出力装置であって、入力手段と、表示手段と、前記入力手段から前記複数の記録媒体の中の所望の記録媒体の指定を示す記録媒体指定情報の入力を受け、前記割付情報に基づいて、前記記録媒体指定情報が示す記録媒体に割り付けられる論理ページを求める演算手段と、前記求められた論理ページの画像データの記録媒体への出力イメージを前記表示手段に表示させる表示制御手段と、を備えることを特徴としている。
【００２０】
また、請求項１０に記載の発明は、前記入力手段からの前記表示された出力イメージについての画像出力指示を受け、前記出力イメージとして表示された論理ページの画像データを前記割付情報に基づいて記録媒体に割り付けて画像出力する画像出力手段を備えることを特徴としている。
【００２１】
また、請求項１１に記載の発明は、前記割付情報に対応する各記録媒体に割り付けられる論理ページのページ数を示すテーブルを更に備え、前記演算手段は、前記テーブルを参照して前記割付情報に対応する前記論理ページのページ数を求め、前記論理ページのページ数と前記記録媒体指定情報が示す記録媒体とから前記記録媒体指定情報が示す記録媒体に割り付けられる論理ページを求めることを特徴としている。
【００２２】
また、請求項１２に記載の発明は、前記演算手段は、前記求めた論理ページのページ数と前記記録媒体指定情報が示す記録媒体とから、前記記録媒体指定情報が示す記録媒体に割り付けられる少なくとも先頭及び末尾の論理ページを求めることによって前記記録媒体指定情報が示す記録媒体に割り付けられる論理ページを求めることを特徴としている。
【００２３】
また、請求項１３に記載の発明は、前記演算手段は、前記割付情報に基づいて各論理ページと前記各論理ページが割り付けられる記録媒体との対応関係を求め、前記対応関係を用いて前記記録媒体指定情報が示す記録媒体に割り付けられる論理ページを求めることを特徴としている。
【００２４】
また、請求項１４に記載の発明は、前記表示制御手段は、前記出力イメージとして、前記求められた論理ページのサムネイルを表示させることを特徴としている。
【００２５】
また、請求項１５に記載の発明は、２つ以上の論理ページで構成される画像データと各前記論理ページの記録媒体への割り付けを示す割付情報とを関連付けて記憶し、前記割付情報に基づいて前記画像データの各論理ページの画像データを複数の記録媒体に割り付けて画像出力する画像出力装置であって、入力手段と、表示手段と、前記入力手段から、前記２つ以上の論理ページの中の所望の論理ページを示す論理ページ指定情報、または、前記複数の記録媒体の中の所望の記録媒体の指定を示す記録媒体指定情報の入力を受け、前記論理ページ指定情報の入力を受けた場合には、前記割付情報に基づいて、前記論理ページ指定情報が示す論理ページと同じ記録媒体に割り付けられる他の論理ページを求め、前記記録媒体指定情報の入力を受けた場合には、前記割付情報に基づいて、前記記録媒体指定情報が示す記録媒体に割り付けられる論理ページを求める演算手段と、前記論理ページ指定情報の入力を受けた場合には、前記論理ページ指定情報が示す論理ページ及び前記他の論理ページの画像データの記録媒体への出力イメージを前記表示手段に表示させ、前記記録媒体指定情報の入力を受けた場合には、前記求められた前記記録媒体指定情報が示す記録媒体に割り付けられる論理ページの画像データの記録媒体への出力イメージを前記表示手段に表示させる表示制御手段と、を備えることを特徴としている。
【００２６】
また、請求項１６に記載の発明は、２つ以上の論理ページで構成される画像データと各前記論理ページの記録媒体への割り付けを示す割付情報とを関連付けて記憶し、前記割付情報に基づいて前記画像データの各論理ページの画像データを複数の記録媒体に割り付けて画像出力する画像出力装置における画像表示方法であって、前記２つ以上の論理ページの中の所望の論理ページを示す論理ページ指定情報の入力を受ける段階と、前記割付情報に基づいて、前記論理ページ指定情報が示す論理ページと同じ記録媒体に割り付けられる他の論理ページを求める段階と、前記論理ページ指定情報が示す論理ページ及び前記他の論理ページの画像データの記録媒体への出力イメージを表示する段階とを含むことを特徴としている。
【００２７】
また、請求項１７に記載の発明は、２つ以上の論理ページで構成される画像データと各前記論理ページの記録媒体への割り付けを示す割付情報とを関連付けて記憶し、前記割付情報に基づいて前記画像データの各論理ページの画像データを複数の記録媒体に割り付けて画像出力する画像出力装置における画像表示方法であって、前記複数の記録媒体の中の所望の記録媒体の指定を示す記録媒体指定情報の入力を受ける段階と、前記割付情報に基づいて、前記記録媒体指定情報が示す記録媒体に割り付けられる論理ページを求める段階と、前記求められた論理ページの画像データの記録媒体への出力イメージを表示する段階とを含むことを特徴としている。
【発明の効果】
【００２８】
本発明にかかる画像出力装置または画像表示方法によれば、指定された論理ページと同じ記録媒体に割り付けられる論理ページ、または、指定された記録媒体に割り付けられる論理ページを求め、求めた論理ページの画像データの記録媒体への出力イメージを表示するので、所望の論理ページが割り付けられる記録媒体、または、所望の記録媒体についての出力イメージを容易に確認することが可能となる。
【発明を実施するための最良の形態】
【００２９】
本実施の形態の画像出力装置は、画像データと割付情報を含む設定データとを含むジョブを受け、記憶手段に記憶し、記憶したジョブを実行することにより、画像データと設定デ−タに基づいて画像出力を行うものである。
【００３０】
ここで、ジョブの構成の一例を図１に示す。図１に示すようにジョブは設定データ部と画像データ部からなる。設定データ部には、設定データが記述されている。設定データは、少なくとも割付情報を含み、他にパンチ処理の有無やステイプル処理の有無などの後処理情報、使用する印刷用紙（記録媒体）の指定情報、一部当りの給排紙枚数情報、表紙または裏表紙（表紙及びまたは裏表紙を、以下、カバーシートと言う場合がある。）の付加を示すカバーシート情報、画像データの原稿サイズ情報または画像データ数情報などを含むことがある。また、画像データ部は、複数の論理ページの画像データで構成される。この論理ページとは、ジョブが含む各画像データのそれぞれのページである。また、論理ページ順とは、ジョブにおける論理ページの順序をいうものであり、例えば画像データを作成したときに読み取り手段により読み取りを行った順、つまり原稿の順序を示し、または、作業端末でアプリケーションソフトを起動させて画像データを作成したときの、そのアプリケーションソフト上での各ページの順序を示すものである。また、以下の説明において、例えば論理ページでの２番目を２論理ページということがある。
【００３１】
またここで、割付情報について図２を用いて説明する。割付情報は、各論理ページと各論理ページが割り付けられる印刷用紙との対応を示すもので、割付情報により、例えば片面、両面、インターシート、章分け、差込ページ、オーバーレイ、２ｉｎ１、小冊子、リピートまたは無線綴じ、或いは、それらの組み合わせなどの割り付けが示される。図２は、それらの割り付けの態様を示す図である。
【００３２】
片面の場合は、図２（ａ）に示すように各論理ページは印刷用紙の表面に割り付けられる。また、この図の長方形の枠は印刷用紙の紙面を示し、各紙面内に記載した数字は、ジョブにおける論理ページを示す（以下の図においても同様である。）。また、印刷用紙は、画像出力される順に並べてあり、各印刷用紙を用紙ページで示し、その順序を用紙ページ順ということにする。また、以下の説明において、例えば用紙ページでの２枚目の印刷用紙を２用紙ページということがある。また、画像出力する際の各論理ページが割り付けられる印刷用紙の各ページを割付ページとし、割付ページ順とは、その画像データが割り付けられた場合の出力ページ順をいうことにする。また、割付ページ順は出力される順序を示す。また、以下の説明において、割付ページでの２番目を２割付ページということがある。
【００３３】
両面の場合は、図２（ｂ）に示すように各論理ページは印刷用紙の表裏面に割り付けられる。
【００３４】
インターシート（図２（ｃ）には片面でインターシートを印刷用紙の２枚目に挿入する場合を示した）の場合は、指定の挿入箇所に画像出力のない印刷用紙を挿入するものである。図２（ｃ）に示すように、例えば２用紙ページが画像出力のない印刷用紙となっている。
【００３５】
章分けの場合は、各章の先頭となる論理ページの画像データを本例では印刷用紙の表面に割り付けて画像出力するようにしたものである。例えば４論理ページから２章となる場合には、図２（ｄ）に示すように、３論理ページを２用紙ページの表に割り付けて画像出力し、４論理ページを３用紙ページの表に割り付けて画像出力する。
【００３６】
差込ページの場合は、指定された論理ページの画像データを指定された用紙ページの印刷用紙の紙面に割り込ませて画像出力するようにしたものである。例えば片面で７論理ページを２用紙ページに差し込む場合には、図２（ｅ）に示すように、７論理ページを２用紙ページの表に割り付け、２論理ページ以降は３用紙ページ以降に割り付けて画像出力する。
【００３７】
オーバーレイの場合は、指定された論理ページの画像データをその他の論理ページの各画像データに重畳して画像出力するようにしたものである。例えば片面で１論理ページの画像データを他の画像データ（２論理ページから７論理ページ）に重畳する場合には、図２（ｆ）に示すように、１論理ページが２論理ページから７論理ページに重畳され、重畳したものを２論理ページから順に用紙ページの表に割り付け画像出力する。
【００３８】
２ｉｎ１の場合は、２つの論理ページの各画像データを印刷用紙の一紙面に並べて画像出力するようにしたものである。例えば片面で２ｉｎ１の場合には、図２（ｇ）に示すように、１論理ページと２論理ページを同じ紙面に割り付け、３論理ページと４論理ページを同じ紙面に割り付け、以下同様に割り付けて画像出力する。また、４ｉｎ１は４つの論理ページの各画像データを、８ｉｎ１は８つの論理ページの各画像データを印刷用紙の一紙面に並べて画像出力する。
【００３９】
小冊子の場合は、各印刷用紙の表面及び裏面の左右にそれぞれ論理ページを割り付けて画像出力し、印刷用紙を重ねて中央で折って綴じると左または右側から各画像データが論理ページ順に画像が並ぶ小冊子となるようにするものである。例えば、８つの論理ページの画像データを小冊子で画像出力する場合には、図２（ｈ）に示すように、１用紙ページの表面に１及び８論理ページを、１用紙ページの裏面に７及び２論理ページを、２用紙ページの表面に３及び６論理ページを、２用紙ページの裏面に５及び４論理ページをそれぞれ割り付けて画像出力する。この場合には印刷用紙を重ねて中央で折って綴じると右側から論理ページ順に画像が並ぶ小冊子となる。
【００４０】
リピートの場合は、同じ論理ページの画像データを一紙面に並べて画像出力するようにしたものである。例えば片面でリピートの場合には、図２（ｉ）に示すように、１論理ページと１論理ページを同じ紙面に、２論理ページと２論理ページを同じ紙面に割り付け、以下同様に割り付けて画像出力する。本例では、リピートを同じ画像データを２回繰り返し画像出力するものとするが、４回繰り返しや８回繰り返しとすることも可能である。
【００４１】
無線綴じの場合は、各印刷用紙の表面及び裏面の左右にそれぞれ論理ページを割り付けて画像を出力し、各印刷用紙を中央で折って折り側をそろえて綴じると左または右側から論理ページ順に画像が並ぶ冊子となるようにするものである。例えば、８つの論理ページの画像データを無線綴じで画像出力する場合には、図２（ｊ）に示すように、１用紙ページの表面には１及び４論理ページを、１用紙ページの裏面には３及び２論理ページを、２用紙ページの表面には５及び８論理ページを、２用紙ページの裏面には７及び６論理ページをそれぞれ割り付けて画像出力する。この場合には各印刷用紙を中央で折って折り側をそろえて綴じると右側から論理ページ順に画像が並ぶ冊子となる。
【００４２】
以下、本発明に係る画像出力装置の一実施形態について、図面を参照しながら具体的に説明する。
【００４３】
（全体構成）
図３は、本実施形態に係る画像出力装置の断面構成図である。一例として示した画像出力装置は、電子写真方式の所謂デジタル複写機である。図１に示すように、画像出力装置は、操作部８０、自動原稿給送装置２（原稿搬送装置）、原稿読み取り部３、画像書込み部４、印刷用紙に画像形成を行う画像形成部５、給紙部６、後処理部８、制御部７とを含んで構成される。
【００４４】
操作部８０は、詳細は図示しないがスイッチ、テンキー及び液晶タッチパネル等を含んで構成されている。これらのスイッチ、キー及び液晶タッチパネルを用いて、各種入力が可能であり、液晶タッチパネルには各種表示がなされる。
【００４５】
自動原稿給送装置２は、原稿載置トレイ２００、給紙ローラ２０１、分離ローラ２０２を有する原稿給紙部２０３と、搬送部２２２（搬送手段）と、原稿読み取り位置２３０と、原稿反転部２４１と、排紙ローラ２５０、排紙トレイ２６０とを有し、原稿給紙部２０３の原稿載置トレイ２００に載置された原稿を原稿読み取り位置２３０へ順次搬送して、原稿の読み取りを行い、排紙トレイ２６０へ排出する。
【００４６】
また、原稿の両面の読み取りを行う場合は、原稿の表面の読み取りの後に、原稿反転部２４１により原稿を反転し、再度、原稿読み取り位置２３０へ原稿を搬送し、裏面の読み取りを行ってから排紙トレイ２６０へ排出される。
【００４７】
原稿読み取り部３は、プラテンガラス３００、３０１、光源３０２、ミラー３０３，３０４，３０５、結像光学系３０６、ＣＣＤからなる撮像素子３０７、及び光学駆動系で構成されている。原稿読み取り部３では、キセノンランプからなる光源３０２から光がプラテンガラス３００，３０１上の原稿に照射され、その反射光はミラー３０３，３０４，３０５に導かれ結像光学系３０６を介してＣＣＤ撮像素子３０７に取り込まれ、当該検出光はアナログ信号に光電変換される。そのアナログ信号は、図示しない画像処理部において、アナログ処理、Ａ／Ｄ変換、シェーディング補正、画像圧縮処理等が施されて、デジタル信号の画像データが作成される。そして、この画像データに操作部８０を用いて入力された設定データを付しジョブが作成される。また、プラテンガラス３０１上に原稿が載置された場合は、光学駆動系がプラテンガラス３０１に沿って原稿を走査することで、ＣＣＤ撮像素子３０７により画像が読み込まれる。
【００４８】
画像書込み部４に画像データに基づいて画像信号が入力されると、画像形成部５では、まず、感光体ドラム３１が時計方向に回転させられ、感光体ドラム３１の表面が除電されさらに帯電器３２により電荷を与えられる。そして、感光体ドラム３１上に画像書込み部４により画像信号に基づいてレーザビームが走査されて静電潜像が形成される。その後、感光体ドラム３１上の前記静電的な潜像は、現像器３３の現像剤によって反転現像が行われ可視のトナー像となる。
【００４９】
一方、給紙部６には、給紙トレイ４１Ａ〜４１Ｄが設けられている。給紙トレイ４１Ａ〜４１Ｄには各種サイズまたは紙種の印刷用紙が収納されている。そして、選択された印刷用紙が給紙トレイ４１Ａ〜４１Ｄの何れかから搬出ローラ４２Ａ〜４２Ｄによって繰り出され、搬出ローラ４３を介して画像の転写部３４に給紙される。給紙された印刷用紙は、感光体ドラム３１上のトナー像と同期して作動する搬送ローラ４４によって感光体ドラム３１上に送出される。この印刷用紙は、転写部３４の作用により、感光体ドラム３１上のトナー像が転写され、感光体ドラム３１上から分離されたのち、搬送ベルト４５を経て定着装置３７へ送られ、熱定着されることにより画像形成された後、排紙ローラ３８により後処理部８へ渡される。
【００５０】
また、印刷用紙の両面に画像出力する場合は、表面に画像形成され熱定着された印刷用紙はガイド４７を介して下方に搬送され、反転部４６の反転ローラ４８により表裏が反転させられて繰り出され、反転搬送路４９を介して再度画像形成部５に送られ、裏面に画像形成が行なわれる。
【００５１】
後処理部８は、機構の詳細を図示しないが、排紙ローラ３８により搬送された印刷用紙を受けて、内部に積載して製本加工を行う。製本加工を行う手段として、ステイプル加工を行うステイプル手段、中折り・中綴じの場合に記録用紙の折り加工を行う紙折り手段、表紙を追加する表装加工を行う表装手段等を備えている。
【００５２】
（制御構成）
本発明は、ジョブにおいて割付情報に基づいて論理ページが印刷用紙に割り付けられ出力される出力イメージのうち所望の論理ページが割り付けられる印刷用紙、または、所望の印刷用紙についての出力イメージを表示するものである。本発明の制御構成の一例について図４を用いて説明する。図４は、本発明の制御構成を示す機能ブロック図である。
【００５３】
操作部８０は、入力部８１と表示部８２を含んで構成される。入力部８１は、本発明の入力手段としての機能を有し上述のスイッチ、キー及び液晶タッチパネルを含んで構成され、表示部８２は、本発明の表示手段としての機能を有し上述の液晶タッチパネルを含んで構成される。
【００５４】
操作部８０は、入力部８１の各種キー、液晶タッチパネル等を用いて、枚数、変倍、コピー濃度、片面や両面などの割り付けまたは印刷用紙サイズ選択等の設定データの入力、ジョブ実行スタート等の指示、或いは、ジョブの中の所望の論理ページを示す指定または所望の用紙ページを指定すること等が可能である。また、論理ページの指定及び用紙ページの指定がなされると、操作部８０は、それぞれを論理ページ指定情報または印刷用紙指定情報（記録媒体指定情報）として出力する。表示部８２は、各種操作のための表示、各種画面、または、出力イメージなどが表示される。
【００５５】
記憶部１０２は、管理部１０３からジョブを受け記憶する記憶手段で、例えばハードディスクドライブ等の記憶手段で構成される。
【００５６】
制御部７は、管理部１０３、画像出力制御部１０１及び表示制御部１０４を含んで構成される。
【００５７】
管理部１０３は、ジョブを受け付けて、画像出力制御部１０１に送りジョブを実行させ、または、記憶部１０２に送りジョブを記憶させる。ジョブは、上述の原稿読み取り部３を用いて作成された画像データに基づいて作成されたもの、または、図示しない作業端末で作成される画像データに基づいて作成されたものであり、管理部１０３は、図示しないネットワークを介して受け付ける。
【００５８】
画像出力制御部１０１は、管理部１０３から受けたジョブまたは記憶部１０２から読み出したジョブを実行し、画像データを設定データに基づいて画像出力するように、割付情報に基づいて、論理ページの割り付け（図２参照）を行う割付手段としての機能を有し、上述の画像書込み部４、画像形成部５、給紙部６及び後処理部８を制御して画像出力する。また、ジョブに含まれる画像データのうち表示部８２に出力イメージとして表示される論理ページを割付情報に基づいて印刷用紙に割り付けて上述の画像書込み部４、画像形成部５、給紙部６及び後処理部８を制御して画像出力する機能を有する。したがって、本発明の「画像出力手段」は、画像出力制御部１０１、画像書込み部４、画像形成部５及び給紙部６を含んで構成される。
【００５９】
表示制御部１０４は、表示部８２の表示を制御する表示制御手段としての機能を備えている。また、ジョブにおける所望の論理ページが割り付けられる印刷用紙についての出力イメージ、または、所望の印刷用紙についての出力イメージを表示部８２に表示する本発明の表示制御手段としての機能を有する。そのために、入力部８１からジョブの指定と、論理ページ指定情報を受けて、論理ページ指定情報が示す指定された論理ページと同じ印刷用紙に割り付けられる論理ページを求め、または、印刷用紙指定情報の入力を受けて、印刷用紙指定情報が示す指定された用紙ページの印刷用紙に割り付けられる論理ページを求める演算手段としての機能と、求めた論理ページが印刷用紙に割り付けられて出力されるときの出力イメージを示すデータを、割付情報に基づいて求めた論理ページから生成する生成手段としての機能を有し、その出力イメージを表示部８２に表示するように制御する。また、生成手段としての機能によって論理ページの画像データをサムネイルに変換し、出力イメージを示すデータをそのサムネイルにより構成する。また、後述する割付情報に応じて論理ページを論理ページと割り付け先との対応関係から求める場合に、その対応関係を示すテーブルを作成する作成手段としての機能を有する。
【００６０】
制御部７は、これらの機能を実現するために、ＣＰＵ（図示せず）と、上述のテーブル、各種のプログラム、及び、そのプログラムを実行するときに必要な各種データなど記憶すると共に各種のプログラムを実行するときのワークエリアを構成するメモリ（図示せず）と、を含んで構成される。
【００６１】
（画面）
ここで、表示部８２に表示される画面、例えば論理ページの指定または用紙ページの指定のための画面、及び、出力イメージの表示する画面などについて説明する。
【００６２】
図５は、表示部８２に表示される表示画面８００の一例を示す図である。まず、図５を用いてジョブの選択指定の入力について説明する。
【００６３】
図５に示す表示画面８００の機能表示部８０１の「読み出し」に操作者が触れると、表示制御部１０４は、記憶部１０２を検索してジョブ表示部８０２に記憶部１０２に記憶されているジョブを表示する。そこで、操作者が所望のジョブ、例えば「ｂｂｂ」に触れることによりジョブの選択がなされる。更に、さらにサムネイル釦８１１に触れると、表示制御部１０４は、図６に示すサムネイル画面８１０を表示する。なお、出力表示部８０３の「自動出力」はジョブの画像データを全部または所望の用紙ページを設定データに基づいて出力させるためのもので、「プルーフ出力」は、ジョブの試し印刷を行うためのもので、「ウエイト出力」は、修正、例えば印刷用紙に対する画像の位置の修正などを行うためのものである。
【００６４】
次に、表示画面８００等を用いての論理ページの指定または用紙ページの指定の入力について図６を用いて説明する。図６（ａ）乃至（ｃ）は、論理ページの指定または用紙ページの指定の入力するための表示部８２に表示されるサムネイル画面８１０の一例を示す図である。図６（ａ）は、論理ページの指定を行う場合の画面、図６（ｂ）は、用紙ページの指定を行う場合の画面、図６（ｃ）は、論理ページの指定または用紙ページの指定を選択的に行う場合の画面である。また、図６（ｄ）は、論理ページまたは用紙ページの番号の入力を行うための指定画面８２０の一例を示す図である。図６（ａ）乃至（ｃ）のいずれのサムネイル画面を用いるかは、予めプログラムに設定しておけばよく、また、別の選択画面などにより操作者が選択して設定できるようにしてもよい。
【００６５】
図６（ａ）に示すように、サムネイル画面８１０ａには、サムネイル表示領域８１１に指定されたジョブの先頭の論理ページのサムネイル表示がなされる。また、サムネイル表示領域８１１の下端近傍にジョブのファイル名が例えば「ｂｂｂ」と表示される。また、操作者がページ指定釦８１６ａに触れることにより、表示制御部１０４は、図６（ｄ）に示す指定画面８２０を表示する。そして、操作者が、指定画面８２０を用いて論理ページの指定を行うことになる。なお、メッセージ表示枠８１２ａに論理ページの指定を促すメッセージが表示され、ページ番号表示枠８１４には表示中の論理ページの番号が表示される。また、操作者が、表示変更釦群８１５の「先頭」「▲」「▼」「最後」の各釦に触れることによって、表示制御部１０４は、ページをめくる様にしてサムネイル表示領域８１１の論理ページのサムネイル及びページ番号表示枠８１４の番号を変更する。また、操作者が、印刷釦８１３に触れると、画像出力制御部１０１は、サムネイルを表示中の画像の出力を行い、操作者が、閉じる釦８１７に触れると、表示制御部１０４は、サムネイル画面８１０ａを非表示とし、表示画面８００に戻す。
【００６６】
図６（ｂ）に示すように、サムネイル画面８１０ｂには、同様にサムネイル表示領域８１１に指定されたジョブの先頭の論理ページのサムネイル表示がなされる。操作者が、シート指定釦８１６ｂに触れることにより、表示制御部１０４は、図６（ｄ）に示す指定画面８２０を表示する。そして、操作者が、指定画面８２０を用いて用紙ページの指定を行うことになる。なお、メッセージ表示枠８１２ｂには、用紙ページの指定を促すメッセージが表示される。
【００６７】
図６（ｃ）に示すように、サムネイル画面８１０ｃには、同様にサムネイル表示領域８１１に指定されたジョブの先頭の論理ページのサムネイル表示がなされる。また、操作者が、指定切換釦８１８のページ指定またはシート指定に触れることにより、ページ指定またはシート指定が選択できる。この選択に伴い、表示制御部１０４は、メッセージ表示枠８１２ｃに用紙ページまたは論理ページの指定を促すメッセージが切り換えて表示する。また、操作者が、番号指定釦８１６ｃに触れることにより、表示制御部１０４は、図６（ｄ）に示す指定画面８２０を表示するが、指定切換釦８１８の選択状況にしたがって、論理ページまたは用紙ページの指定が行われることになる。つまり、指定切換釦８１８で、ページ指定が選択されえていれば指定画面８２０を用いて論理ページの指定が行われ、或いはシート指定が選択されえていれば指定画面８２０を用いて用紙ページの指定が行われる。
【００６８】
図６（ｄ）に示すように、指定画面８２０には、テンキー８２３が表示され、テンキー８２３を用いて入力された番号が、番号表示枠８２２に表示される。また、メッセージ表示枠８２１に番号の指定を促すメッセージが表示され、用紙ページまたは論理ページの番号の入力が可能となる。また、操作者がキャンセル釦８２４に触れると、表示制御部１０４は、指定画面８２０を非表示とし、サムネイル画面８１０に戻す。
【００６９】
ここで、操作者により用紙ページまたは論理ページの番号が入力され、ＯＫ釦８２５に触れると、表示制御部１０４は、印刷用紙指定情報または論理ページ指定情報として受ける。そして、表示制御部１０４は、指定画面８２０を非表示とし、サムネイル画面８１０に戻すとともに、論理ページ指定が行われた場合には、その論理ページ指定情報が示す指定された論理ページと同じ印刷用紙に割り付けられる論理ページを求める（後述）。一方、用紙ページ指定が行われた場合には、印刷用紙指定情報が示す指定された用紙ページの印刷用紙に割り付けられる論理ページを求める（後述）。そして、求めた論理ページが割付情報に基づいて印刷用紙に割り付けられて出力されるときの出力イメージを示すデータを生成し、その出力イメージをサムネイル表示領域８１１に表示する。
【００７０】
図７に、出力イメージの表示例を示す。図７（ａ）は、論理ページの指定により表示される例を示し、図７（ｂ）は、用紙ページの指定により表示される例を示した。
【００７１】
例えば、論理ページの指定による場合には、図７（ａ）に示すように、サムネイル表示領域８１１には、指定された論理ページの画像と、その論理ページが割り付けられる印刷用紙に割り付けられる他の論理ページの画像との出力イメージをサムネイルで表示する。例えば、「Ｂ」で表示した画像が指定された論理ページの出力イメージで、「Ａ」で表示した画像が同じ印刷用紙の反対の面に割り付けられる論理ページの出力イメージである。このとき、例えば、図７（ａ）に示すように、指定された論理ページを例えば反転文字で識別可能に表示する。これにより、操作者は指定した論理ページを識別可能となる。
【００７２】
また、用紙ページの指定による場合には、図７（ｂ）に示すように、サムネイル表示領域８１１には、指定された用紙ページに割り付けられる論理ページの出力イメージがサムネイルで表示される。「Ａ」で表示した画像が指定された用紙ページの印刷用紙の表面に割り付けられる論理ページの出力イメージで、「Ｂ」で表示した画像が指定された用紙ページの印刷用紙の裏面に割り付けられる論理ページの出力イメージである。
【００７３】
ここで、操作者が印刷釦８１３に触れると、画像出力制御部１０１は、表示部８２に出力イメージとして表示された画像データを割付情報に基づいて印刷用紙に割り付けて画像出力する。
【００７４】
（論理ページを求める演算）
次に、表示制御部１０４において行われる論理ページを求める演算について、用紙ページの指定の場合または論理ページの指定の場合に分けてそれぞれを説明する。
【００７５】
〔用紙ページ〕
まず、用紙ページの指定の場合について説明する。
【００７６】
（必要画像データ数を用いる場合）
まず一例として、１印刷用紙に割り付けられる論理ページのページ数を示す必要画像データ数を用いて演算により必要な画像データの論理ページ求める方法を説明する。
【００７７】
例えば、割付情報に対応する必要画像データ数を示す必要画像データ数テーブルを予め記憶部１０２或いは制御部７のメモリなどに記憶しておく。図８に必要画像データ数テーブルの一例を示す。図８には、片面、両面のそれぞれについて、応用機能としてリピート、２ｉｎ１、４ｉｎ１、８ｉｎ１、及び、無線綴じを組み合わせた場合の必要画像データ数を示した。
【００７８】
表示制御部１０４は、操作部８０から印刷用紙指定情報を受けると、その印刷用紙指定情報が示す用紙ページの印刷用紙の先頭に割り付けられる論理ページを
（先頭論理ページ）＝（入力された用紙ページ−１）×（必要画像データ数）＋１
と求め、印刷用紙の末尾に割り付けられる論理ページを
（最終論理ページ）＝（先頭論理ページ）＋（必要画像データ数）−１
と求める。
【００７９】
例えば、両面、応用機能無し、３用紙ページの場合には、上記式から、
先頭論理ページ：（３−１）×２＋１＝５
最終論理ページ：５＋２−１＝６
と求めることができる（図２（ｂ）を参照）。
【００８０】
（必要画像データ数及びページ表を用いる場合）
次に、必要画像データ数を用いて演算により割付ページ求め、割付ページに対応する論理ページを求める方法を説明する。例として、小冊子の場合を説明する。小冊子の必要画像データ数は４である。
【００８１】
まず、表示制御部１０４で、ジョブの画像データ数から小冊子に割り付けるときの論理ページと割付ページとの対応関係を示すページ表を作成する。そのページ表の一例を図９に示す。そして、印刷用紙指定情報を受け、例えば印刷用紙指定情報が１用紙ページを示すものであれば、上記式と同様にして、
先頭割付ページ：（１−１）×４＋１＝１
最終割付ページ：１＋４−１＝４
と求める。そして、割付ページの１〜４に対応する論理ページを図９に示す表を検索して求め、１、８、７及び２論理ページとなる（図２（ｈ）を参照）。
【００８２】
（ページ表を用いる場合）
さらに次に、論理ページと用紙ページとの対応関係を示すページ表を用いる場合を説明する。これは、例えばインターシートなど計算により求めることが困難な場合に用いる。例として、割付情報が、画像データ数７、片面、インターシート（２用紙ページ目に白紙挿入）、２〜５論理ページは両面の場合を説明する。
【００８３】
まず、表示制御部１０４で、ジョブの論理ページと各論理ページを割付情報に基づいて割り付けるときの用紙ページとの対応関係を示すページ表を作成する。そのページ表を図１０に示す。また、論理ページを印刷用紙に割り付けた状態を図１１に示す。図１１は、図１０に示すページ表の論理ページと用紙ページとの関係を明示したものである。
【００８４】
そして、操作部８０から印刷用紙指定情報を受け、例えば印刷用紙指定情報が４用紙ページを示すものであれば、用紙ページの４に対応する論理ページを図１０に示す表を検索して求め、４及び５論理ページとなる（図１１を参照）。
【００８５】
また、上述の両面及び小冊子の例も、論理ページと用紙ページとの対応関係を示すページ表を用いて求めることができる。
【００８６】
〔論理ページ〕
次に、論理ページの指定の場合について説明する。
【００８７】
（必要画像データ数を用いる場合）
まず一例として、必要画像データ数を用いて演算により論理ページ求める方法を説明する。
【００８８】
まず、必要画像データ数テーブルを予め記憶しておく（図８）。
【００８９】
表示制御部１０４は、操作部８０から論理ページ指定情報を受けると、その論理ページ指定情報が示す論理ページを含む用紙ページの印刷用紙の先頭に割り付けられる論理ページを
（先頭論理ページ）＝（入力された論理ページ−１）÷（必要画像データ数）の商×（必要画像データ数）＋１
と求め、その用紙ページの末尾に割り付けられる論理ページを
（最終論理ページ）＝（先頭論理ページ）＋（必要画像データ数）−１
と求める。ここで商とは割り算により得られた結果の整数値部分をいう。
【００９０】
例えば、両面、応用機能無し、３論理ページの場合には、上記式から、
先頭論理ページ：（（３−１）÷２の商）×２＋１＝３
最終論理ページ：３＋２−１＝４
と求めることができる（図２（ｂ）を参照）。
【００９１】
（ページ表を用いる場合）
次に、論理ページと用紙ページとの対応関係を示すページ表を用いる場合を説明する。これは、例えばインターシートなど計算により求めることが困難な場合に用いる。例として、割付情報が、画像データ数７、片面、インターシート（２用紙ページ目に白紙挿入）、２〜５論理ページは両面の場合を説明する。
【００９２】
まず、表示制御部１０４で、ジョブの論理ページと各論理ページを割付情報に基づいて割り付けるときの用紙ページで示す印刷用紙とを対応付けたページ表を作成する。そのページ表を図１０に示す。また、印刷用紙に割り付けた状態を図１１に示す。図１１は、図１０に示すページ表の論理ページと用紙ページで示す印刷用紙との関係を明示したものである。
【００９３】
そして、操作部８０から論理ページ指定情報を受け、例えば論理ページ指定情報が４論理ページを示すものであれば、論理ページの４に対応する用紙ページを図１０に示す表を検索して４用紙ページを求め、さらに、用紙ページの４に対応する論理ページを図１０に示す表を検索して求め、４及び５論理ページとなる（図１１を参照）。
【００９４】
上述のようにして、表示制御部１０４は論理ページを求める。そして、求めた論理ページの画像データを記憶部１０２から読み出すのであるが、ジョブの割付情報がインターシート、章分け、差込ページ、オーバーレイ、または、小冊子を含む（以下、集約モードという）場合は、上述の演算のときに各論理ページを容易に取り出せるように対象のジョブの各論理ページの各画像データを全て制御部７のメモリに読み出しておくことが望ましい。つまり、演算開始の前に記憶部１０２から対象のジョブの全論理ページの画像データを制御部７のメモリに読み出しておき、上記演算を行って、演算によって不要となった論理ページの画像データを削除する。一方、集約モードでなければ、上述の演算のときに各論理ページの各画像データを取り出す必要がないため、上述のようにして必要な論理ページを求め、その論理ページの画像データを記憶部１０２から読み出すようにする。
【００９５】
また、上記の操作部８０にＣＰＵ及びメモリを搭載し、上述の表示制御部１０４の機能を操作部８０に有するようにしてもよい。
【００９６】
また、言うまでも無いが本制御構成は、電子写真方式の複写機に限らず電子写真方式のカラーレーザープリンタ、スキャナ・コピア・ファクシミリ機能を併せ持つ複合機、また、電子写真方式に限らずインクジェットプリンタ、銀塩写真方式のプリンタ等に適用が可能である。
【００９７】
（動作態様）
次に、上述のような構成の画像出力装置における動作態様の一例について、図１２を参照しつつ説明する。図１２は、本画像出力装置にける動作態様を示すフローチャートである。また、図１２は、論理ページの指定または用紙ページの指定を選択的に行う場合の動作態様を示す。
【００９８】
まず、操作者が操作部８０を操作して、表示画面８００を用いてジョブの選択指定の入力を行い、サムネイル画面８１０ｃを表示させ、サムネイル画面８１０ｃを用いて、印刷用紙指定情報または論理ページ指定情報を入力する（図１２ステップＳ１０１、以下省略して「Ｓ１０１」と表す。他のステップも同様に省略して表す。）。
【００９９】
表示制御部１０４は、操作部８０からの入力を受けて、まず、当該ジョブの設定データを読み出し（Ｓ１０２）、設定データから集約モードか否かの判定を行う。
【０１００】
集約モードであれば（Ｓ１０３、Ｙｅｓ）、表示制御部１０４は、記憶部１０２から、指定されたジョブの全論理ページの画像データを読み出す（Ｓ１０４）。つぎに、Ｓ１０１において用紙ページが指定されていれば（印刷用紙指定情報を受けた場合）（Ｓ１０５、用紙ページ）、その印刷用紙指定情報が示す用紙ページに含まれる論理ページを求める（Ｓ１０６）。または、論理ページが指定されていれば（論理ページ指定情報を受けた場合）（Ｓ１０５、論理ページ）、その論理ページ指定情報が示す論理ページが割り付けられる用紙ページを求め、その用紙ページに含まれる全ての論理ページを求める（Ｓ１０７）。ここで、表示制御部１０４は、不要な論理ページの画像データは削除しておく。
【０１０１】
一方、集約モードでなけれ（Ｓ１０３、Ｎｏ）、表示制御部１０４は、Ｓ１０１において用紙ページが指定されていれば（印刷用紙指定情報を受けた場合）（Ｓ１０８、用紙ページ）、その印刷用紙指定情報が示す用紙ページに含まれる画像データの論理ページを求める（Ｓ１０９）。論理ページが指定されていれば（論理ページ指定情報を受けた場合）（Ｓ１０８、論理ページ）、その論理ページ指定情報が示す論理ページが割り付けられる用紙ページを求め、その用紙ページに含まれる全ての論理ページを求める（Ｓ１１０）。そして、表示制御部１０４は、記憶部１０２から、指定されたジョブから求めた論理ページの画像データを読み出す（Ｓ１１１）。
【０１０２】
そして、表示制御部１０４は、求めた論理ページの各画像データが印刷用紙に割り付けられて出力されるときの出力イメージを示すデータを、ジョブの割付情報に基づいて、求めた論理ページからサムネイルによる出力イメージを生成し、その出力イメージをサムネイル表示領域８１１に表示する（Ｓ１１２）。
【０１０３】
ここで、図示しないが、印刷の指示が入力された場合には、その指示を受けて画像出力制御部１０１は、出力イメージとして表示された各論理ページの画像データを割付情報に基づいて印刷用紙に割り付けて画像出力する。
【０１０４】
また、用紙ページの指定または論理ページのいずれか一方の指定により上記の出力イメージを表示するようにしてもよい。これらの場合には、上記フローチャートのＳ１０５及びＳ１０８において、それぞれ用紙ページまたは論理ページにしたがって動作するものとすればよい。
【図面の簡単な説明】
【０１０５】
【図１】本発明に係るジョブの構成を示す図である。
【図２】割付情報に基づく論理ページの割り付けの態様を説明するための図である。
【図３】本実施の形態の画像出力装置の全体構成を示す断面図である。
【図４】本実施の形態の画像出力装置の制御構成を示す機能ブロック図である。
【図５】操作部に表示する画面の一例を示す図である。
【図６】操作部に表示する画面の一例を示す図である。
【図７】操作部に表示する画面の一例を示す図である。
【図８】割付情報に対応する必要画像データ数を示す図である。
【図９】論理ページと割付ページとを対応付けたページ表の構成を示す図である。
【図１０】論理ページと用紙ページとを対応付けたページ表の構成を示す図である。
【図１１】割付情報に基づいて印刷用紙に割り付けられた論理ページの一例を示す図である。
【図１２】本画像出力装置における動作態様を示すフローチャートである。
【符号の説明】
【０１０６】
２  自動原稿給送装置
３  原稿読み取り部
４  画像書込み部
５  画像形成部
６  給紙部
７  制御部
８  後処理部
８０  操作部
８１  入力部
８２  表示部
１０１  画像出力制御部
１０２  記憶部
１０３  管理部
１０４  表示制御部
【図１】
2007316797.tif 000003
【図２】
2007316797.tif 000004
【図３】
2007316797.tif 000005
【図４】
2007316797.tif 000006
【図５】
2007316797.tif 000007
【図６】
2007316797.tif 000008
【図７】
2007316797.tif 000009
【図８】
2007316797.tif 000010
【図９】
2007316797.tif 000011
【図１０】
2007316797.tif 000012
【図１１】
2007316797.tif 000013
【図１２】
2007316797.tif 000014